(57)【要約】【課題】刈取部の左右側のカバーを簡素な形状に形成でき、前照灯の取付け及び交換を簡単に行うことが可能なコンバインを提供する。【解決手段】コンバイン１は、刈取部１０と、前照灯１３と、を備える。刈取部１０は、穀稈２を刈り取る。前照灯１３は、機体の前方を照らす。刈取部１０は、当該刈取部１０の左右側方を覆う下サイドカバー１５を備える。下サイドカバー１５には、前記刈取部１０の左右側方の下部において膨出する膨出部が形成される。膨出部の上方に前照灯１３が配置されている。【選択図】図１
2016054674.tif 000002
【特許請求の範囲】
【請求項１】
穀稈を刈り取る刈取部と、
機体の前方を照らす前照灯と、
を備え、
前記刈取部は、当該刈取部の左右側方を覆うサイドカバーを備え、
前記サイドカバーには、前記刈取部の左右側方の下部において左右外側に膨出する膨出部が形成され、
前記膨出部の上方に前記前照灯が配置されていることを特徴とするコンバイン。
【請求項２】
請求項１に記載のコンバインであって、
前記機体の方向変更を示す方向指示灯を更に備え、
前記方向指示灯は、前記前照灯のハウジングとは別の部材として構成されたハウジングを備え、
前記方向指示灯が前記前照灯の上方に配置されていることを特徴とするコンバイン。
【請求項３】
請求項２に記載のコンバインであって、
前記方向指示灯は、前記前照灯より前記機体の後方に退避するように配置されていることを特徴とするコンバイン。
【請求項４】
請求項２又は３に記載のコンバインであって、
前記刈取部は、穀稈を引き起こす引起装置を備え、
前記前照灯及び前記方向指示灯は、前記刈取部において、前記引起装置の前面より後方に配置されていることを特徴とするコンバイン。
【請求項５】
請求項２から４までの何れか一項に記載のコンバインであって、
前記刈取部は、前記サイドカバーの上方に配置されて刈取部の左右側方を覆う板状の上サイドカバーを備え、
前記前照灯及び前記方向指示灯は、前記上サイドカバーに取り付けられていることを特徴とするコンバイン。
【請求項６】
請求項２から５までの何れか一項に記載のコンバインであって、
前記方向指示灯は、前記機体の幅を示す車幅灯と一体に構成されていることを特徴とするコンバイン。
【請求項７】
請求項１から６までの何れか一項に記載のコンバインであって、
前記前照灯は、ハウジング及びレンズを備え、
前記レンズが、前記ハウジングの前端面より後方に配置されていることを特徴とするコンバイン。
【発明の詳細な説明】
【技術分野】
【０００１】
本発明は、機体の前方を照らすライトを備えるコンバインに関する。
【背景技術】
【０００２】
従来から、夕暮れ時や、夜間や、早朝などの暗い時間帯でコンバインの走行及び刈取作業を効率良く行うことができるように、機体の主に前方を照らすライトを備えたコンバインが知られている。特許文献１から３までは、この種のコンバインを開示する。
【０００３】
特許文献１のコンバインとしての刈取収穫機は、機体の前部に備えられた刈取部の右及び左の側部に右及び左のライトを備え、前記右のライトの照射範囲の左側部分と、左のライトの照射範囲の右側部分と、が前記刈取部の前方で重なり合うように、前記右及び左のライトの照射範囲を設定する構成となっている。特許文献１は、この構成により、刈取部の前方を広い範囲に亘って照射することができるとする。
【０００４】
特許文献２のコンバインは、機体の前方を照らす前照灯と、刈取部の作業域及びその周辺を照らす作業灯と、を１つの筐体内に備えたライトユニットを、前記刈取部の左右両側の各側部に取り付けた構成となっている。特許文献２は、この構成により、夕暮れ方や夜間での作業時に、前照灯で機体前方を照らすだけでなく、作業灯で機体前部側方を照らすことができ、作業性を向上させることができ、また、前照灯と作業灯とをユニット構成としているので、取付け又は取外す作業が簡単になるとする。
【０００５】
特許文献３のコンバインは、刈取装置の横外側部を覆うサイドカバーを設け、当該サイドカバーの外側面から横外側方へ向けて膨出する膨出部に前照灯を設けた構成となっている。特許文献３は、この構成により、穀稈の穂先で遮られたり乱反射したりすることなく、分草杆（分草板）の前方を照射することができ、分草位置の視認性を向上させて刈取作業の能率を高めることができるとする。
【先行技術文献】
【特許文献】
【０００６】
【特許文献１】特開２００６−０２５６６６号公報
【特許文献２】特開２００８−１１８９６９号公報
【特許文献３】特開２０１４−０４５６９４号公報
【発明の概要】
【発明が解決しようとする課題】
【０００７】
しかし、上記特許文献１の構成は、刈取部の右及び左の側部の上部のカバーに右及び左のライトを設けているので、ライトを配置できる形状にカバーを形成する必要があって、当該カバーの設計及び製造が難しくなり、ライトの取付け及び交換作業が複雑になるという点で改善の余地があった。
【０００８】
そして、上記特許文献２の構成は、前照灯と作業灯とを１つの筐体内に設置しているので、前照灯と作業灯とを配置する専用の筐体を形成する必要があり、コストが増加してしまう。また、１つの筐体に配置された前照灯と作業灯とのうち何れか１つのライトを交換したいとき、当該２つのライトを一緒に取り外す必要があるという点で改善の余地があった。
【０００９】
また、上記特許文献３の構成は、やはり、特許文献１及び２と同じように、サイドカバーを複雑な形状に形成する必要があり、前照灯の取付け及び交換作業が複雑であるという点で改善の余地があった。
【００１０】
本発明は以上の事情に鑑みてされたものであり、その目的は、刈取部の左右側のカバーを簡素な形状に形成でき、前照灯の取付け及び交換を簡単に行うことが可能なコンバインを提供することにある。
【課題を解決するための手段及び効果】
【００１１】
本発明の解決しようとする課題は以上の如くであり、次にこの課題を解決するための手段とその効果を説明する。
【００１２】
本発明の観点によれば、以下の構成のコンバインが提供される。即ち、このコンバインは、刈取部と、前照灯と、を備える。前記刈取部は、穀稈を刈り取る。前記前照灯は、機体の前方を照らす。前記刈取部は、当該刈取部の左右側方を覆うサイドカバーを備える。前記サイドカバーには、前記刈取部の左右側方の下部において左右外側に膨出する膨出部が形成される。前記膨出部の上方に前記前照灯が配置されている。
【００１３】
これにより、サイドカバーを簡素な形状に形成することができるとともに、前照灯の取付け及び交換を簡単に行うことができる。
【００１４】
前記のコンバインにおいては、以下の構成とすることが好ましい。即ち、このコンバインは、前記機体の方向変更を示す方向指示灯を更に備える。前記方向指示灯は、前記前照灯のハウジングとは別の部材として構成されたハウジングを備える。前記方向指示灯が前記前照灯の上方に配置されている。
【００１５】
これにより、方向指示灯と前照灯とを別体に設けているので、それぞれのライトを適切な方向に容易に向けさせることができる。また、方向指示灯を相対的に高い場所に設置しているので、稲、麦等の穂により方向指示灯の光を遮ってしまうことを防止できる。
【００１６】
前記のコンバインにおいては、前記方向指示灯は、前記前照灯より前記機体の後方に退避するように配置されていることが好ましい。
【００１７】
これにより、前照灯の光が、その上方に配置された方向指示灯により遮られることを回避できる。従って、前照灯がコンバインの機体の前方を一層好適に照らすことができる。
【００１８】
前記のコンバインにおいては、以下の構成とすることが好ましい。即ち、前記刈取部は、穀稈を引き起こす引起装置を備える。前記前照灯及び前記方向指示灯は、前記刈取部において、前記引起装置の前面より後ろ側に配置されている。
【００１９】
これにより、前照灯及び方向指示灯が穀稈に当たりにくくなるので、損傷を防止することができる。
【００２０】
前記のコンバインにおいては、以下の構成とすることが好ましい。即ち、このコンバインは、前記サイドカバーの上方に配置されて刈取部の左右側方を覆う板状の上サイドカバーを備える。前記前照灯及び前記方向指示灯は、前記上サイドカバーに取り付けられている。
【００２１】
これにより、前記前照灯及び前記方向指示灯を容易に取り付けることができる。
【００２２】
前記のコンバインにおいては、前記方向指示灯は、前記機体の幅を示す車幅灯と一体に構成されていることが好ましい。
【００２３】
これにより、車幅灯を別途に設ける必要がないので、コンバインの構成を一層簡素化することができ、コストを低減することもできる。
【００２４】
前記のコンバインにおいては、以下の構成とすることが好ましい。即ち、前記前照灯は、ハウジング及びレンズを備える。前記レンズが、前記ハウジングの前端面より後方に配置されている。
【００２５】
これにより、稲、麦等の作物の穂によりレンズに傷を付けることを回避でき、レンズの傷による照明への影響を防止することができる。
【図面の簡単な説明】
【００２６】
【図１】本発明の一実施形態に係るコンバインの構成を示す側面図。
【図２】コンバインの刈取部を示す部分正面図。
【図３】前照灯の照明範囲を示す平面図。
【図４】方向指示灯の構成を示す正面図。
【図５】前照灯の構成を示す斜視図。
【図６】フロア仕様のコンバインに適用した変形例を示す斜視図。
【発明を実施するための形態】
【００２７】
次に、図面を参照して本発明の実施の形態を説明する。図１は本発明の一実施形態に係るコンバイン１の構成を示す側面図である。なお、以下の説明で「左」及び「右」というときは、コンバイン１が前進する方向に向かって左及び右を意味するものとする。
【００２８】
本実施形態のコンバイン１は、いわゆる自脱型コンバインとして構成されている。図１に示すように、本実施形態のコンバイン１においては、稲、麦などの作物の穀稈２を刈り取るための刈取部１０が機体本体の前方に配置されている。また、コンバイン１の機体の下部には、機体を走行させるためのクローラ部２０が設けられている。
【００２９】
刈取部１０の後方であって、コンバイン１の左側には、刈取部１０で刈り取った穀稈２を脱穀するための脱穀装置３０と、当該脱穀装置３０で脱穀された穀粒を選別して取り出す選別装置４０と、が設けられている。
【００３０】
コンバイン１の上部右側には、穀粒を貯留するためのグレンタンク５０が設けられている。選別装置４０で選別された穀粒は、図略のコンベア機構により、グレンタンク５０まで搬送され、当該グレンタンク５０に貯留される。また、コンバイン１は、グレンタンク５０内の穀粒を外部に排出するための排出オーガ６０を備えている。
【００３１】
グレンタンク５０の前方には、オペレータが搭乗するためのキャビン７０が配置されている。このキャビン７０の内部には、ステアリングハンドルなどの運転操作部７２、及びオペレータが座るための運転座席７３などが設けられている。オペレータは、運転操作部７２を操作することにより、コンバイン１の刈取作業や走行など各種の操作を行うことができる。
【００３２】
刈取部１０は、複数（本実施形態では、６つ）の分草板１１と、引起装置１２と、図略の刈刃と、を備えている。本実施形態のコンバイン１が有する刈取部１０は、５条分の穀稈２を同時に刈り取ることができる。
【００３３】
複数の分草板１１は、刈取部１０の前下部において、機体の左右方向に並べて設けられている。分草板１１は、穀稈２と穀稈２との間に差し込まれることにより、穀稈２を刈り取るべき幅を規定することができる。分草板１１は、当該分草板１１によって分けられた穀稈２を引起装置１２へ案内する。引起装置１２は、作物を整流するための図示しない引起タインを備える引起ケースを備えており、倒伏した作物を拾い上げたり、穂先を一定の幅に収束させたりする引起し作業を行うことができる。分草板１１により案内された穀稈２は引起装置１２により引き起こされ、刈刃によって根本部付近が切断されて刈り取られる。
【００３４】
刈取部１０によって刈り取られた穀稈２は、図略の搬送装置により、脱穀装置３０まで搬送され、脱穀される。以上のように構成された自脱型のコンバイン１を走行させながら刈取作業を行うことで、圃場に生えている穀稈２を刈り取り、脱穀して穀粒を取り出すことができる。
【００３５】
次に、本実施形態のコンバイン１が作業環境を向上させるために備える各種の照明機能について説明する。
【００３６】
キャビン７０の前面の上部には、コンバイン１の前方及び刈取部１０の作業領域（分草板の先端の近い側における領域）を照らすための、複数のキャビン作業灯８０が設置されている。それぞれのキャビン作業灯８０の照明領域は、全体で、刈取部１０の前方ないしコンバイン１の前方の広い範囲を効果的に照明できるように配置されている。
【００３７】
また、刈取部１０の左右側方のそれぞれに前照灯１３が設置されている。これにより、コンバイン１の走行及び作業における照明を一層効果的に行うことができる。
【００３８】
以下、刈取部１０の左右側部の構成について詳細に説明する。図１に示すように、刈取部１０は、左右１対の下サイドカバー（サイドカバー）１５と、左右１対の上サイドカバー１６と、を備える。下サイドカバー１５には、左右側方外側に突出した略箱状に形成された膨出部が形成されており、刈取部１０の左側及び右側の下部を覆っている。上サイドカバー１６は、平坦な板状に形成され、刈取部１０の左側及び右側の上部を覆っている。下サイドカバー１５と上サイドカバー１６とは隣接して配置され、上サイドカバー１６は、下サイドカバー１５の上方に配置されている。
【００３９】
下サイドカバー１５と上サイドカバー１６により、刈取部１０の左右側部の全域が覆われている。また、下サイドカバー１５は、上サイドカバー１６より、刈取部１０の左右外側へ膨出している。
【００４０】
前照灯１３は、図２に示すように左右１対で配置され、それぞれが、刈取部１０の上サイドカバー１６に左右外側から取り付けられている。前照灯１３は、照射する光が下サイドカバー１５（膨出部）によって遮られないように、下サイドカバー１５から適宜離れた上方に配置されている。この構成により、前照灯１３がコンバイン１の前方を好適に照らすことができる。
【００４１】
上サイドカバー１６は平坦な板状に形成されているので、前照灯１３を、例えばボルト等を用いて、容易に当該上サイドカバー１６に取り付けることができる。従って、刈取部１０の上サイドカバー１６を簡素な形状に構成できるとともに、前照灯１３の取付け及び交換作業を簡単に行うことができ、コストの面でも有利である。
【００４２】
前照灯１３は、刈取部１０の左右側面に、当該刈取部１０の高さをほぼ２等分する位置よりやや下側に配置されている。この結果、図１に示すように、前照灯１３は、稲の上部が当たるぐらいの位置に配置されている。そして、当該前照灯１３は、水平方向前方ではなく、刈取部１０の分草板１１の前方を照射するように、やや斜め下方を向いて設置されている。この構成により、前照灯１３が稲、麦等の作物の穀稈２部分を好適に照らすことができ、刈取部１０の分草板１１による分草作業を一層スムーズに行うことができる。
【００４３】
圃場において稲や麦などの作物が均等な間隔の列をなして（正条植えで）植えられているのに応じて、コンバイン１の刈取部１０に配置された分草板１１同士の間隔は、穀稈２の列と列との間隔と一致するように設定される。コンバイン１の刈取作業において、分草板１１が穀稈２の列と列との間に差し込んで穀稈２を列ごとに分けることにより、当該穀稈２を容易に刈り取って搬送することができ、刈取作業が効率的に行われる。
【００４４】
しかし、条植えが完全に真っ直ぐであるとは限らず、コンバイン１の進路も穀稈２の列と厳密に平行にすることは難しい。従って、オペレータがコンバイン１を運転して刈取作業を行う場合、分草板１１が穀稈２の列と列の間の適切な位置に差し込まれているどうかを確認し、必要に応じてコンバイン１の進路を調整する必要がある。従って、暗い時間帯で行う刈取作業において、刈取部１０に配置された分草板１１の前方を明るく照らすことが重要である。
【００４５】
ところで、隣接している分草板１１同士の間隔は、穀稈２の列同士の間隔と一致するように設定されている。従って、何れか１つの分草板１１において良好に分草できていれば、幾何学的関係から、他の分草板１１においても同様に分草できているということができる。従って、オペレータとしては、見易い位置に配置されている左右何れか一端の分草板１１に注意していれば、分草の状況を十分に監視することができる。
【００４６】
この点、本実施形態のコンバイン１は、図３に示すように、刈取部１０に左右側方に設置された前照灯１３を用いて、刈取部１０の前方を照らしている。具体的に、刈取部１０の左側に配置された左側の前照灯１３Ｌは、その光軸が、刈取部１０の左端に配置された分草板１１Ｌの前方を指すように設置されている。刈取部１０の右側に配置された右側の前照灯１３Ｒは、その光軸が、刈取部１０の右端に配置された分草板１１Ｒの前方を指すように設置されている。
【００４７】
この構成により、図３に示すように、前照灯１３Ｌ，１３Ｒによって、刈取部１０の左右両端に配置された分草板１１Ｌ，１１Ｒの前方の領域１７Ｌ，１７Ｒを効果的に照明することができる。従って、オペレータは、刈取部１０に配置された前照灯１３の光により、分草板１１による分草の状況を好適に確認することができる。
【００４８】
続いて、本実施形態のコンバイン１の刈取部１０に配置された方向指示灯（及び車幅灯）１４について説明する。
【００４９】
本実施形態のコンバイン１は、コンバイン１が左折／右折や進路の変更を行うことを示す左右１対の方向指示灯１４Ｌ，１４Ｒを更に備えている。それぞれの方向指示灯１４は、正面視で前照灯１３と上下方向に並べて配置され、上サイドカバー１６に取り付けられている。そして、稲、麦等の作物の穂によって光が遮られないように、当該方向指示灯１４は、図１に示すように前照灯１３の上方に配置されている。また、方向指示灯１４は、前照灯１３の光を遮らないように、前照灯１３と比較して若干後方に退避した位置に取り付けられている。なお、方向指示灯１４の光軸の向きは、前照灯１３と異なり、ほぼ水平に向けられている。
【００５０】
当該方向指示灯１４は、前照灯１３と同じように、ボルト等を用いて上サイドカバー１６に取り付けられている。従って方向指示灯１４も、前照灯１３と同様に、取付け及び交換作業を簡単に行うことができる。
【００５１】
また、本実施形態において、方向指示灯１４は、コンバイン１の機体幅を示す車幅灯と兼用の構成になっている。具体的には、図４に示すように、方向指示灯１４の内部の空間は上下に分割されて、上側には機体の方向変更を指示するウインカーが配置され、下側には車幅灯が配置されている。
【００５２】
方向指示灯１４は、ハウジング１４０と、レンズ１４１と、を備える。ハウジング１４０は、上サイドカバー１６に取り付けられる。また、図示しないが、ハウジング１４０の内部において、ウインカーの光源が上側に、車幅灯の光源が下側に、それぞれ配置される。
【００５３】
レンズ１４１は、ハウジング１４０に固定されている。このレンズ１４１は、上レンズ１４１ａと、下レンズ１４１ｂと、が一体的に成形された構成となっている。上レンズ１４１ａは、オレンジ色の透明な合成樹脂によって半円状に形成され、下レンズ１４１ｂは、無色透明の合成樹脂によって半円状に形成されている。従って、ウインカーはオレンジ色に光り、車幅灯は白色で光ることになる。
【００５４】
以上の構成により、方向指示灯と車幅灯とを一体化したコンパクトな構成を実現することができる。ただし、方向指示灯１４は、上記で説明した構成に限定せず、様々な構成とすることが可能である。
【００５５】
なお、従来、コンバインの刈取部の前面を覆うカバーの内側に前照灯を設置する構成が提案されている。即ち、刈取部の前面カバーの一部が透明なレンズになっており、その内部に前照灯の光源が配置される構成である。しかし、前照灯のレンズが刈取部の前面の一部になる構成であると、稲、麦等の作物に当たって傷が付き易い。
【００５６】
この点、本実施形態のコンバイン１において、前照灯１３及び方向指示灯１４は、引起装置１２の前面（具体的には、前記引起ケースの前面）より後方に配置されている。即ち、前照灯１３及び方向指示灯１４の何れも、引起装置１２から刈取部１０の前方に突出しない位置で固定されている。これにより、穀稈２等の障害物に当たりにくくなるので、前照灯１３及び方向指示灯１４の損傷を防止することができる。
【００５７】
また、図５に示すように、前照灯１３は、ハウジング１３０と、レンズ１３１と、を備える。ハウジング１３０は、レンズ１３１の周囲において前方に突出するリング状の凸部１３０ａを備える。これにより、レンズ１３１が、前照灯１３の前端面より後方に窪んだ内側部分に配置されるレイアウトとなっている。従って、前照灯１３のレンズ１３１に稲、麦等の作物が当たって傷を付けることを回避でき、前照灯１３による照明を安定して行うことができる。
【００５８】
なお、上記は前照灯１３に関する説明であるが、方向指示灯１４（図４）のハウジング１４０についても、前照灯１３のハウジング１３０と同様の構成が採用されている。即ち、レンズ１４１が当該方向指示灯１４の前面（リング状の凸部１４０ａ）より後方に退避した構成が採用されており、これにより傷付きを回避することができる。
【００５９】
以上に説明したように、本実施形態のコンバイン１は、刈取部１０と、前照灯１３と、を備える。刈取部１０は、穀稈２を刈り取る。前照灯１３は、機体の前方を照らす。前記刈取部１０は、前記刈取部１０の左右側方を覆う下サイドカバー１５を備える。下サイドカバー１５には、刈取部１０の左右側方の下部において左右外側に膨出する膨出部が形成されている。前記膨出部の上方に前記前照灯１３が配置されている。
【００６０】
これにより、下サイドカバー１５を簡素な形状に形成することができるとともに、前照灯１３の取付け及び交換を簡単に行うことができる。
【００６１】
また、本実施形態のコンバイン１は、機体の方向変更を示す方向指示灯１４を更に備える。方向指示灯１４は、前照灯１３のハウジング１３０とは別に構成されたハウジング１４０を備える。方向指示灯１４は、前照灯１３の上方に配置されている。
【００６２】
これにより、方向指示灯１４と前照灯１３とを別体に設けているので、それぞれのライトを適切な方向に容易に向けさせることができる。また、方向指示灯１４を相対的に高い場所に設置しているので、稲、麦等の穂により方向指示灯１４の光を遮ってしまうことを防止できる。
【００６３】
また、本実施形態のコンバイン１において、方向指示灯１４は、前照灯１３より機体後方に退避するように配置されている。
【００６４】
これにより、前照灯１３の光が、その上方に配置された方向指示灯１４により遮られることを回避できるので、前照灯１３がコンバイン１の機体の前方を一層好適に照らすことができる。
【００６５】
また、本実施形態のコンバイン１において、刈取部１０は、穀稈２を引き起こす引起装置１２を備える。前照灯１３及び方向指示灯１４は、刈取部１０において、引起装置１２の前面より後方に配置されている。
【００６６】
これにより、前照灯１３及び方向指示灯１４が穀稈２に当たることによって損傷することを回避できる。
【００６７】
また、本実施形態のコンバイン１において、刈取部１０は、下サイドカバー１５の上方に配置されて刈取部１０の左右側方を覆う板状の上サイドカバー１６を備える。前照灯１３及び方向指示灯１４が、当該上サイドカバー１６に取り付けられている。
【００６８】
これにより、前照灯１３及び方向指示灯１４を容易に取り付けることができる。
【００６９】
また、本実施形態のコンバイン１において、方向指示灯１４は、機体の幅を示す車幅灯と一体に構成されている。
【００７０】
これにより、車幅灯を別途に設ける必要なく、コンバイン１の構成を一層簡素化にすることができ、コストを低減することができる。
【００７１】
また、本実施形態のコンバイン１において、前照灯１３は、ハウジング１３０と、レンズ１３１と、を備えている。レンズ１３１は、前照灯１３の前端面（凸部１３０ａの前面）より後方に配置されている。
【００７２】
これにより、稲、麦等の作物の穂によりレンズ１３１，１４１に傷を付けることを回避でき、レンズ１３１，１４１の傷による照明への影響を防止することができる。
【００７３】
以上に本発明の好適な実施の形態を説明したが、上記の構成は例えば以下のように変更することができる。
【００７４】
刈取部１０の左右側方に設置されたサイドカバーは、上下で分割する構成に限らず、必要に応じて一体型に形成することも可能である。
【００７５】
前照灯１３や方向指示灯１４は、上記の実施形態のような５条刈の刈取部１０に限定せず、４条刈以下や６条刈以上の刈取部に取り付けることもできる。
【００７６】
上記の実施形態における前照灯１３の照明範囲は例として挙げたものであり、例えば他の作業灯の照明範囲との関係を考慮して、上記とは異なる範囲を照らすように変更することもできる。
【００７７】
本発明の構成は、上記の実施形態に示すような、キャビン７０を備えるコンバイン１に限定されない。例えば、図６に示すようなフロア仕様のコンバイン１ｘ、又は図略の汎用型コンバインにも適用することができる。
【符号の説明】
【００７８】
１  コンバイン
２  穀稈
１０  刈取部
１２  引起装置
１３  前照灯
１４  方向指示灯
１５  下サイドカバー（サイドカバー）
１６  上サイドカバー
１３０  前照灯のハウジング
１３１  前照灯のレンズ
【図１】
2016054674.tif 000003
【図２】
2016054674.tif 000004
【図３】
2016054674.tif 000005
【図４】
2016054674.tif 000006
【図５】
2016054674.tif 000007
【図６】
2016054674.tif 000008